(57)【要約】【課題】  カップホルダー内に使用可能な状態に灰皿を収容することができ、かつ、灰皿を収納した状態でカップホルダーをインストルメントパネル内等に収納することができると共に、カップホルダーの使用を可能にしつつ灰皿を使用可能な状態に保持させることができる移動可能な灰皿を備えたカップホルダー部構造の提供。【解決手段】  灰皿３の高さがカップホルダー２における収容凹部２１の深さ以内に設定され、カップホルダー２における収容凹部２１の開口縁部には係止穴２３が形成される一方、灰皿３の外側面には係止穴２３に対し挿入係止可能な係止フック３３が形成される。【選択図】        図６
2006315612.tif 000002
【特許請求の範囲】
【請求項１】
車室内のパネル内に出し入れ可能な状態に設けられたカップホルダーと、該カップホルダーの収容凹部内に収容した状態で使用可能な灰皿とで構成され、
該灰皿の高さが前記カップホルダーにおける収容凹部の深さ以内に設定されていることを特徴とする移動可能な灰皿を備えたカップホルダー部構造。
【請求項２】
前記カップホルダーにおける収容凹部の開口縁部には係止穴が形成される一方、前記灰皿の外側面には前記係止穴に対し挿入係止可能な係止フックが形成されていることを特徴とする請求項１に記載の移動可能な灰皿を備えたカップホルダー部構造。
【請求項３】
前記係止穴に前記係止フックを挿入係止させた状態にロックし及びロック状態を解除操作可能なロック機構が備えられていることを特徴とする請求項２に記載の移動可能な灰皿を備えたカップホルダー部構造。
【請求項４】
前記灰皿の外形が略円形に形成される一方、前記カップホルダーにおける収容凹部の開口断面が少なくとも２つのコーナー部を有する略方形の半断面と略円弧状の半断面とで構成され、該略円弧状の半断面側開口縁部の中央部には指挿入用凹部が形成されていることを特徴とする請求項１〜３のいずれか１項に記載の移動可能な灰皿を備えたカップホルダー部構造。
【請求項５】
前記略方形半断面側開口縁部の中央部には前記灰皿における係止フックを収容係止可能な収容凹部が形成されていることを特徴とする請求項２〜４のいずれか１項に記載の移動可能な灰皿を備えたカップホルダー部構造。
【請求項６】
前記灰皿における前記係止フックの上部外面にはソフトパッドが取り付けられていることを特徴とする請求項２〜５のいずれか１項に記載の移動可能な灰皿を備えたカップホルダー部構造。
【請求項７】
前記灰皿における前記係止フックと対面する灰皿の外面には係止フックを前記カップホルダーの係止穴に挿入係止させた時にカップホルダーの前面パネルに当接するソフトパッドが取り付けられていることを特徴とする請求項２〜６のいずれか１項に記載の移動可能な灰皿を備えたカップホルダー部構造。
【発明の詳細な説明】
【技術分野】
【０００１】
本発明は、移動可能な灰皿を備えたカップホルダー部構造に関する。
【背景技術】
【０００２】
従来、移動可能な灰皿としては、例えば、車両におけるインストルメントパネル内等に出し入れ可能に備えられたカップホルダーに収容可能な外形を備えた有底でタバコ用の各種装置を備えたカップ状本体と、該カップ状本体の開口部を閉塞する蓋体とで構成されるカップ型灰皿が知られている（特許文献１参照）。
【０００３】
【特許文献１】実開平６−７５８７７号公報
【発明の開示】
【発明が解決しようとする課題】
【０００４】
しかしながら、上述の従来の技術にあっては、上述のように、カップ型灰皿をカップホルダーに収容したままの状態では、カップホルダーをインストルメントパネル内等に収納することができなくなるという問題がある。
また、カップ型灰皿をカップホルダーに収容すると、カップホルダーとしての使用ができなくなるという問題がある。
【０００５】
本発明は、上述のような従来の問題点に着目して成されたもので、カップホルダー内に使用可能な状態に灰皿を収容することができ、かつ、灰皿を収納した状態でカップホルダーをインストルメントパネル内等に収納することができる移動可能な灰皿を備えたカップホルダー部構造を提供することを目的とし、さらに、カップホルダーの使用を可能にしつつ灰皿を使用可能な状態に保持させることができるようにすることを追加の目的としている。
【課題を解決するための手段】
【０００６】
上述の目的を達成するために、本願請求項１に記載の移動可能な灰皿を備えたカップホルダー部構造は、車室内のパネル内に出し入れ可能な状態に設けられたカップホルダーと、該カップホルダーの収容凹部内に収容した状態で使用可能な灰皿とで構成され、該灰皿の高さが前記カップホルダーにおける収容凹部の深さ以内に設定されていることを特徴とする手段とした。
【０００７】
また、請求項２に記載の移動可能な灰皿を備えたカップホルダー部構造は、請求項１に記載の移動可能な灰皿を備えたカップホルダー部構造において、前記カップホルダーにおける収容凹部の開口縁部には係止穴が形成される一方、前記灰皿の外側面には前記係止穴に対し挿入係止可能な係止フックが形成されていることを特徴とする手段とした。
【０００８】
また、請求項３に記載の移動可能な灰皿を備えたカップホルダー部構造は、請求項２に記載の移動可能な灰皿を備えたカップホルダー部構造において、前記係止穴に前記係止フックを挿入係止させた状態にロックし及びロック状態を解除操作可能なロック機構が備えられていることを特徴とする手段とした。
【０００９】
また、請求項４に記載の移動可能な灰皿を備えたカップホルダー部構造は、請求項１〜３のいずれか１項に記載の移動可能な灰皿を備えたカップホルダー部構造において、前記灰皿の外形が略円形に形成される一方、前記カップホルダーにおける収容凹部の開口断面が少なくとも２つのコーナー部を有する略方形の半断面と略円弧状の半断面とで構成され、該略円弧状の半断面側開口縁部の中央部には指挿入用凹部が形成されていることを特徴とする手段とした。
【００１０】
また、請求項５に記載の移動可能な灰皿を備えたカップホルダー部構造は、請求項２〜４のいずれか１項に記載の移動可能な灰皿を備えたカップホルダー部構造において、前記略方形半断面側開口縁部の中央部には前記灰皿における係止フックを収容係止可能な収容凹部が形成されていることを特徴とする手段とした。
【００１１】
また、請求項６に記載の移動可能な灰皿を備えたカップホルダー部構造は、請求項２〜５のいずれか１項に記載の移動可能な灰皿を備えたカップホルダー部構造において、前記灰皿における前記係止フックの上部外面にはソフトパッドが取り付けられていることを特徴とする手段とした。
【００１２】
また、請求項７に記載の移動可能な灰皿を備えたカップホルダー部構造は、請求項２〜６のいずれか１項に記載の移動可能な灰皿を備えたカップホルダー部構造において、前記灰皿における前記係止フックと対面する灰皿の外面には係止フックを前記カップホルダーの係止穴に挿入係止させた時にカップホルダーの前面パネルに当接するソフトパッドが取り付けられていることを特徴とする手段とした。
【発明の効果】
【００１３】
請求項１に記載の移動可能な灰皿を備えたカップホルダー部構造では、上述のように、車室内のパネル内に出し入れ可能な状態に設けられたカップホルダーと、該カップホルダーの収容凹部内に収容した状態で使用可能な灰皿とで構成され、該灰皿の高さがカップホルダーにおける収容凹部の深さ以内に設定されることで、カップホルダー内に使用可能な状態に灰皿を収容することができると共に、灰皿を収納した状態でカップホルダーをインストルメントパネル等のパネル内等に収納することができるようになるという効果が得られる。
【００１４】
また、請求項２に記載の移動可能な灰皿を備えたカップホルダー部構造では、上述のように、カップホルダーにおける収容凹部の開口縁部には係止穴が形成される一方、灰皿の外側面には係止穴に対し挿入係止可能な係止フックが形成されている構成とすることにより、カップホルダーの使用を可能にしつつ灰皿を使用可能な状態に保持させることができるようになるという効果が得られる。
【００１５】
また、請求項３に記載の移動可能な灰皿を備えたカップホルダー部構造では、上述のように、前記係止穴に係止フックを挿入係止させた状態にロックし及びロック状態を解除操作可能なロック機構が備えられることで、カップホルダーの前に突出した状態の灰皿に足等がぶつかって落下することを防止することができるようになる。
【００１６】
また、請求項４に記載の移動可能な灰皿を備えたカップホルダー部構造では、上述のように、前記灰皿の外形が略円形に形成される一方、カップホルダーにおける収容凹部の開口断面が少なくとも２つのコーナー部を有する略方形の半断面と略円弧状の半断面とで構成され、該略円弧状の半断面側開口縁部の中央部には指挿入用凹部が形成されている構成とすることにより、収容凹部内に灰皿を収容した状態で、指挿入用凹部の他に、略方形の半断面の２つのコーナー部と灰皿との間に指を挿入可能な凹部が形成されるため、収容凹部内に収容された灰皿を３本の指で摘んで容易に取り出すことができるようになり、これにより、灰皿の上面に摘み部等を形成する必要がないため、灰皿の容量を最大限に広くすることができるようになる。
【００１７】
さらに、カップホルダーにおける収容凹部の開口断面に方形状の半断面部を有するため、方形断面形状のペットボトル等を安定よく収容することができるようになる。
【００１８】
また、請求項５に記載の移動可能な灰皿を備えたカップホルダー部構造では、上述のように、前記略方形半断面側開口縁部の中央部には灰皿における係止フックを収容係止可能な収容凹部が形成されている構成とすることにより、係止フックの突起を収容凹部に収容した灰皿の回り止め構造の一部として有効利用することができ、灰皿を安定よく収容することができるようになる。
【００１９】
また、請求項６に記載の移動可能な灰皿を備えたカップホルダー部構造では、上述のように、前記灰皿における係止フックの上部外面にはソフトパッドが取り付けられている構成とすることにより、係止フックを係止穴に挿入係止させた灰皿の使用状態でカップホルダーを収納方向へ押し込んだ際に、係止フックがインストルメントパネル等のパネル前面に当たって傷を付けることを防止することができるようになる。
【００２０】
また、請求項７に記載の移動可能な灰皿を備えたカップホルダー部構造では、上述のように、前記灰皿における係止フックと対面する灰皿の外面には係止フックをカップホルダーの係止穴に挿入係止させた時にカップホルダーの前面パネルに当接するソフトパッドが取り付けられている構成とすることにより、係止フックを係止穴に挿入係止させた灰皿の使用状態で灰皿の外面がカップホルダーの前面パネルに当接して傷を付けることを防止することができるようになる。
【発明を実施するための最良の形態】
【００２１】
以下に、本発明の実施例を図面に基づいて説明する。
【実施例】
【００２２】
この実施例の移動可能な灰皿を備えたカップホルダー部構造は、請求項１〜７に記載の発明に対応する。
図１はこの実施例の移動可能な灰皿を備えたカップホルダー部構造におけるカップホルダーを引き出した状態を示す平面図、図２は図１のＡ−Ａ線における灰皿を収容した状態の拡大縦断面図、図３は図１のＡ−Ａ線における灰皿を収容凹部内に収容してカップホルダーをインストルメントパネルのパネル内に収容した状態の拡大縦断面図、図４は実施例の移動可能な灰皿を備えたカップホルダー部構造における灰皿を収容凹部内に収容した使用状態を示す斜視図、図５は実施例の移動可能な灰皿を備えたカップホルダー部構造における灰皿の係止フックをカップホルダーの係止穴に挿入係止させた使用状態を示す斜視図、図６は実施例の移動可能な灰皿を備えたカップホルダー部構造における灰皿の係止フックをカップホルダーの係止穴に挿入係止させた使用状態を示す断面図、図７は実施例の移動可能な灰皿を備えたカップホルダー部構造におけるカップホルダーを収容した状態を示す横断面図である。
【００２３】
この実施例の移動可能な灰皿を備えたカップホルダー部構造は、インストルメントパネル（車室内のパネル）１と、カップホルダー２と、灰皿３と、を備えている。
さらに詳述すると、上記カップホルダー２は、図２、３に示すように、インストルメントパネル１に形成された開口部１１に対し出し入れ可能な状態に設けられている。
【００２４】
このカップホルダー２は、図１、４、５に示すように、２つのカップの収容凹部２１、２１を備え、該カップホルダー２の先端部には、カップホルダー２をインストルメントパネル１内に収容した時にインストルメントパネル１の開口部１１を閉塞して一体化させる前面パネル２２を有している（図３参照）。
【００２５】
上記カップの収容凹部２１は、その開口断面が少なくとも２つのコーナー部２１ａ、２１ａを有する略方形の半断面と略円弧状の半断面とで構成され、該略円弧状の半断面側開口縁部の中央部には指挿入用凹部２１ｂが形成されている。
【００２６】
上記灰皿３は、図２〜５に示すように、その本体３１の外形が略円形の有底カップ状に形成され、その上端開口部には開閉可能な蓋体３２が備えられている。そして、この灰皿３の高さがカップホルダー２における収容凹部２１の深さ以内に設定されている。また、灰皿３の本体３１の上部外面には後述の係止穴２３に対し挿入係止させる下向きの係止フック３３が突出形成されている（図２、３、６参照）。
【００２７】
そして、カップホルダー２における前面パネル２２側の両収容凹部２１、２１の間の開口縁部には、図１、４、６に示すように、灰皿３における係止フック３３を挿入係止可能な係止穴２３が形成されている。
【００２８】
また、図６に示すように、係止フック３３の下端部には前後方向にロックピン係止穴３３ａが形成される一方、係止穴２３の後方には、前後方向スライドしてロックピン係止穴３３ａに係脱可能なロックピン２５と、該ロックピン２５をロックピン係止穴３３ａ内に係脱操作するロック解除ボタン２６が備えられている。
このロック解除ボタン２６は、摺動案内枠体２９内において上下方向に摺動可能に設けられると共に、その中央部に傾斜状のカム穴２６ａが設けられ、カム穴２６ａにロックピン２５の側面に突出形成された軸２５ａが係合され、該軸２５ａの両端部は摺動案内枠体２９の両側壁面に形成された車両前後方向に長い長孔２９ａに対し摺動自在に支持されている。
【００２９】
そして、ロック解除ボタン２６が付勢スプリング２７により上方へ摺動する方向に押圧付勢されることにより、図６に示すようにロックピン２５が前方へ摺動して係合穴３３ａに係合し、ロック解除ボタン２６を下方へ押し下げるとロックピン２５が後方へ摺動して係合穴３３ａから離脱し、これによりロック状態を解除することができる。
【００３０】
なお、ロックピン２５の先端上面にはテーパー面２５ｂが形成されることにより、係合穴３３ａに係合フック３３を差し込むと、係合フック３３の下端部がこのテーパー面２５ｂに当接してロックピン２５を後方へ押しこみ、その後ロックピン２５を係合穴３３ａに係合させることができるようになっている。
【００３１】
即ち、ロックピン係止穴３３ａとロックピン２５とロック解除ボタン２６と付勢スプリング２７とで、係止穴２３に係止フック３３を挿入係止させた状態にロックし及びロック状態を解除操作可能なロック機構が構成されている。
【００３２】
また、略方形半断面側開口縁部の中央部には灰皿３における係止フック３３を収容係止可能な収容凹部２４が形成されている。
また、カップホルダー２における両収納凹部２１、２１内には、小径カップ収容時にカップを支えるフラップ２８が図示を省略したスプリングの付勢力に抗して下方へ折り畳み可能な状態で備えられている。
また、図７に示すように、一方の収容凹部２１の外側壁面部２１ｃが別体に形成され、その基部が水平方向回動自在に支持されていて、カップホルダー２をインストルメントパネル１内に収容する際に、外面が開口部１１に当接することで図示を省略したスプリングの付勢力に抗して内側に折り畳まれるようになっている。
【００３３】
また、図２、３に示すように、灰皿３における係止フック３３の上部外面にはソフトパッド３１ａが取り付けられ、係止フック３３と対面する本体３１外面には係止フック３３をカップホルダー２の係止穴２３に挿入係止させた時にカップホルダー２の前面パネル２２に当接するソフトパッド３１ｂが取り付けられている。
【００３４】
次に、実施例の作用・効果について説明する。
この実施例の移動可能な灰皿を備えたカップホルダー部構造では、上述のように、灰皿３の高さがカップホルダー２における収容凹部２１の深さ以内に設定されることで、図２に示すように、カップホルダー２内に使用可能な状態に灰皿３を収容することができると共に、図３に示すように、灰皿３を収納した状態でカップホルダー２をインストルメントパネル１内に収納することができるようになるという効果が得られる。
【００３５】
また、カップホルダー２における収容凹部２１の開口縁部には係止穴２３が形成される一方、灰皿３の外側面には係止穴２３に対し挿入係止可能な係止フック３３が形成されている構成とすることにより、図５に示すように、カップホルダー２の使用を可能にしつつ灰皿３を使用可能な状態に保持させることができるようになるという効果が得られる。
【００３６】
また、図６に示すように、係止穴２３に係止フック３３を挿入係止させた状態にロックし及びロック状態を解除操作可能なロック機構が備えられることで、カップホルダー２の前に突出した状態の灰皿３に足等がぶつかって落下することを防止することができるようになる。
【００３７】
また、灰皿３の外形が略円形に形成される一方、図１に示すように、カップホルダー２における収容凹部２１の開口断面が少なくとも２つのコーナー部２１ａを有する略方形の半断面と略円弧状の半断面とで構成され、該略円弧状の半断面側開口縁部の中央部には指挿入用凹部２１ｂが形成されている構成とすることにより、収容凹部２１内に灰皿３を収容した状態で、指挿入用凹部２１ｂの他に、略方形の半断面の２つのコーナー部２１ａと灰皿３との間に指を挿入可能な凹部が形成されるため、収容凹部内に収容された灰皿３を３本の指で摘んで容易に取り出すことができるようになり、これにより、灰皿の上面に摘み部等を形成する必要がないため、灰皿の容量を最大限に広くすることができるようになる。
【００３８】
さらに、カップホルダー２における収容凹部２１の開口断面に方形状の半断面部を有するため、方形断面形状のペットボトル等を安定よく収容することができるようになる。
【００３９】
また、略方形半断面側開口縁部の中央部には灰皿３における係止フック３３を収容係止可能な収容凹部２４が形成されている構成とすることにより、本体３１に突出形成された係止フック３３を収容凹部２４に収容した灰皿３の回り止め構造の一部として有効利用することができ、灰皿３を安定よく収容することができるようになる。
【００４０】
また、図２、３、６に示すように、灰皿３における係止フック３３の上部外面にはソフトパッド３１ａが取り付けられている構成とすることにより、係止フック３３を係止穴２３に挿入係止させた灰皿３の使用状態でカップホルダー２を収納方向へ押し込んだ際に、係止フック３３がインストルメントパネル１のパネル前面に当たって傷を付けることを防止することができるようになる。
【００４１】
また、灰皿３における係止フック３３と対面する本体３１の外面には係止フック３３をカップホルダー２の係止穴２３に挿入係止させた時にカップホルダー２の前面パネル２２に当接するソフトパッド３１ｂが取り付けられている構成とすることにより、係止フック３３を係止穴２３に挿入係止させた灰皿３の使用状態で本体３１の外面がカップホルダー２の前面パネル２２に当接して傷を付けることを防止することができるようになる。
【００４２】
以上、本発明の実施例を図面に基づき説明してきたが、本発明は上述の実施例に限られるものではなく、本発明の要旨を逸脱しない範囲の設計変更等があっても、本発明に含まれる。
例えば、実施例では、カップホルダー２に２つの収容凹部２１、２１を備えている例を示したが、１つだけや２つ以上であってもよい。
【００４３】
また、実施例では、カップホルダー２をインストルメントパネル１に対し収納可能に設けたが、コンソールボックスやその他の車室内パネルに設けることができる。
【図面の簡単な説明】
【００４４】
【図１】実施例の移動可能な灰皿を備えたカップホルダー部構造におけるカップホルダーを引き出した状態を示す平面図である。
【図２】図１のＡ−Ａ線における灰皿を収容した状態の拡大縦断面図である。
【図３】図１のＡ−Ａ線における灰皿を収容凹部内に収容してカップホルダーをインストルメントパネルのパネル内に収容した状態の拡大縦断面図である。
【図４】実施例の移動可能な灰皿を備えたカップホルダー部構造における灰皿を収容凹部内に収容した使用状態を示す斜視図である。
【図５】実施例の移動可能な灰皿を備えたカップホルダー部構造における灰皿の係止フックをカップホルダーの係止穴の挿入係止させた使用状態を示す斜視図である。
【図６】実施例の移動可能な灰皿を備えたカップホルダー部構造における灰皿の係止フックをカップホルダーの係止穴の挿入係止させた使用状態を示す断面図である。
【図７】実施例の移動可能な灰皿を備えたカップホルダー部構造におけるカップホルダーを収容した状態を示す横断面図である。
【符号の説明】
【００４５】
１  インストルメントパネル（車室内のパネル）
１１  開口部
２  カップホルダー
２１  収容凹部
２１ａ  コーナー部
２１ｂ  指挿入用凹部
２１ｃ  外側壁面部
２２  前面パネル
２３  係止穴
２４  収容凹部
２５  ロックピン
２５ａ  軸
２５ｂ  テーパー面
２６  ロック解除ボタン
２６ａ  カム穴
２７  付勢スプリング
２８  フラップ
２９  摺動案内枠
２９ａ  長孔
３  灰皿
３１  本体
３１ａ  ソフトパッド
３１ｂ  ソフトパッド
３２  蓋体
３３  係止フック
３３ａ  ロックピン係合穴
【図１】
2006315612.tif 000003
【図２】
2006315612.tif 000004
【図３】
2006315612.tif 000005
【図４】
2006315612.tif 000006
【図５】
2006315612.tif 000007
【図６】
2006315612.tif 000008
【図７】
2006315612.tif 000009